(57)【特許請求の範囲】
【請求項１】
制震部材として円柱状で中が空間である外側ケース１７と、前記外側ケース１７と同心軸である円柱状で中が空間の内側ケース７を、外側ケース１７内に一次回動抑制空間部１４を有して設置し、前記一次回動抑制空間部１４に一次回動抑制空間部バネ１３Aを設け、上部に回動抑制太いバネ１８設置した、前記外側ケース１７と内側ケース７の同心軸位置に二次回動抑制主軸コア部マウント台２Aを設け、前記二次回動抑制主軸コア部マウント台２Aと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板を載せ付ける、内側ケース７の回動抑制に中間部に外側ケース１７内側切欠き部が有り、上下当たり受け止めとして回動抑制当たり止めバネ台１１と支柱上下当たり受け止め台２４で、支柱の地震動抑制する事を備える制震回動抑制装置５０からなる制震、免震回動抑制装置。                  
【請求項２】
前記一次回動抑制空間部バネ１３A及び二次回動抑制バネ２は、一次、二次回動抑制空間部１４、８で一対のつばを有する円筒状の管で有る外バネカップ１６のつば部を対向させ、該外バネカップ１６の内側に摺動内バネカップ１６Aが収納され、二次回動抑制主軸コア部２Aに設置した回動抑制主軸ボルト部１の上部に回動センサー１１Aが付、上部ゼンマイ式バネ９、下部ゼンマイ式バネ１０が回動抑制主軸ボルト部１で接続されていて、内側ケース７下部土台と底板３が下部回動抑制柱下バネ２８で接続されている事を備える、請求項１記載の制震、免震回動抑制装置。
【請求項３】
前記制震回動抑制装置５０の上部の四面に取付け、十字式の板バネ３５を複数枚重ねるバネ先端に取付けた上側四面スタビライザー３４と、該上側四面スタビライザー３４とボールジョイント４２接続するロッド３６の下端にボールジョイント４２接続し、下側のロアーアーム４８に連結した、四面に付く下側四面スタビライザー３４Ａと、一端を連結調整ロッド３６上端にボールジョイント４２接続し土台振動回動受けるバネ付ショクアプソーバー３７と、保護太バネ３８と、振動回動四面方向圧縮バネ４４とを備えた請求項１又は２記載の制震、免震回動抑制装置。  
【請求項４】
前記制震回動抑制装置５０をその内部に装着する、上部に柱の取替式支柱取付台２１が付き、下部に角度調整の出来る角度台取付ボルト穴１９が付く、角形制震装置取付調整台３３Aを備えた請求項１又は２記載の制震、免震回動抑制装置。
【発明の詳細な説明】
【発明の詳細な説明】
【０００１】
本発明は、建築物、建設物の制震、免震回動抑制装置と部材に関する。
【背景技術】
【０００２】
近年・大きな規模の地震が多発し、地震が発生した場合、家屋や建築物等の倒壊による人的被害及び経済的な被害が発生している、地震による被害を防ぐ各種構造の制震、免震装置の提案がいそがれる。                                  
【０００３】
従来からの、技術分野は地震動などからの建物を支柱周り保護が固定保護支柱が多い。対象部材間を連結するダンパー用鋼板が破断した場合であっても、一対の相対変位を規制することを可能にした特許文献有りまず。                        
【０００４】
従来技術の、支柱台周り施工の土台振動回動免震装着にはゴム製弾性体と土台振動回動制止する部材を別々に使用している、支柱台周り前記土台振動を回動抑制する、部材を一個にまとめた地震動抑制部材の支柱製品が待たれている。建築物、建設物の鋼材部材の再生化が少ない、組立施工物を壊して、再生している、壊さないで組立施工を替え、地震に強い建築物、建設物、再生出来る組立施工方法のシステム化する素材、部材の開発急がれる。                                
【０００５】
【特許文献１】特開２０１５−１６６５２８号公報
【発明の概要】
【発明が解決しようとする課題】
【０００６】
建築物の耐震設計は横揺れ幅の力と上下地震動に対して対抗、柱補強梁補強増設建物の倒壊は横揺れの力で耐震思想と耐震技術は耐震設計を推進する上で不可分の関係に関してわ、予測が難しい将来の地震動に対してどの程度の強さの地震動を想定して耐震設計を行うべきか、最大地震動に対してどの程度の塑性変形（損傷）を許容してよいか、建物周辺の地形、地盤構造などの局所的影響をどのように耐震設計に取り込んで行くか、経年に伴う老朽化や建物の耐震性能をいかに向上させるか、など制震、免震装置部材作りが課題とされる。
【０００７】
地震動対策に制震、免震構造にするため解決しようとする問題点は、地震動を支柱、梁で破壊から、守る損傷を少なくする方法が少ない、支柱建築物で壊れにくい、再生の出来る建築材の取付部品の製作が出来るか、地震動を制御する回動抑制装置と制震装置、支柱、梁、取付部材を製作し、支柱に装備する事で建築物の倒壊する事をふせぐ、制震、免震回動抑制装置、で解決しようとする。        
【課題を解決するための手段】
【０００８】
制震部材として円柱状で中が空間である、外側ケース１７と、前記外側ケースと同心軸である円柱状の中内側ケース７を、外側ケース１７内に一次回動抑制空間部１４を有して設置し、前記一次回動抑制空間部１４に一次回動抑制空間部バネ１３Aを設ける、前記外側ケース１７と内側ケース７の同心軸上に上部回動抑制太バネ１８設置した、前記外側ケース１７と内側ケース７の同心軸位置にとの間の空間８にバネ２を設置し、前記外側ケース17と内側ケース７及び回動抑制主軸コア部マウント台２Aと前記二次回動抑制主軸コア部マウント台2Ａと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板６に載せ突き上げ調整を付ける、内側ケース７の回動抑制に中間部に外側ケース１７内側切欠き部が有り、上下当たり止めとして回動抑制当たり止めバネ台１１と支柱上下当たり止め台２４として、支柱の地震動抑制する事を備える制震回動抑制装置５０からなる制震、免震回動抑制装置。               
【０００９】
前記一次回動抑制空間部バネ１3A及び二次回動抑制バネ２は一次、二次回動抑制空間部１４、８で一対のつばを有する円筒状の管で有る外バネカップ１６のつば部を対向させ、該外のバネカップ１６の内側に摺動内バネカップ１６Aが収納され、二次回動抑制主軸コア部２Aに設置した回動抑制主軸ボルト部１の上部に回動センサー11Aが地震動測定記録が付、上部ゼンマイ式バネ９、下部ゼンマイ式バネ１０が回動抑制主軸ボルト部１の振動を抑えるので接続されていて、内側ケース７下部土台と底板３が下部回動抑制柱下バネ２８でで接続されている事を備える、制震、免震回動抑制装置。                                              
【００１０】
前記制震回動抑制装置５０の上部の四面に取付け、十字式の板バネ３５を複数枚重ねるバネ先端に取付けた上側四面スタビライザー３４と、該上側四面スタビライザー３４とボール・ジョイント４２接続するロッド３６の下端にボール・ジョイント４２が接続し、下端ロアーアーム４８に連結した、四面に付く、下側四面スタビライザー３４Ａは取付部にヒネり調整付と、一端を連結調整ロッド３６上端にボールジョイント４２接続し土台振動回動受けるバネ付ショクアプソーバー３７と保護太バネ３８と、振動回動四面方向圧縮バネ４４とを備えた制震、免震回動抑制装置。
【００１１】
前記制震回動抑制装置５０をその内部に装着する、上部に柱の取替式支柱取付台２１が付き、下部に角度調整の出来る角度台取付ボルト穴１９が付く、角形制震装置取付調整台３３Ａを備えた、制震、免震回動抑制装置。
角形制震装置取付調整台３３Ａとする、内側に重着した制震回動抑制装置５０の取付は外に制震装置台保護材７４が有り、その外側に重着した角形制震装置取付調整台３３Ａは重着の為に振動強度が上がり支柱の使用に対応する角形制震装置取付調整台３３Ａを備える、制震、免震回動抑制装置。
【発明の効果】
【００１２】
本発明においては制震回動抑制装置部材５０としての、支柱は梁、桁、束、土台に使用すると支柱損傷を少なくし、かつ建物の倒壊防止に貢献出来る部材として、倒壊に対応して、角形制震装置取付調整台３３Ａは使用時の角形と丸形支柱材の交換が使用が出来る、制震回動抑制装置部材５０の支柱取付に部材の部分取替施工が出来、在来建物も簡単に取付が出来る、建築物、建設物の地震動に対して制震装置として広い範囲の使用として、優れた効果を出す。                      
【００１３】
制震、免震回動抑制装置部材として建物の支柱繋ぎと、土台周りに取付施工出来る、支柱、土台の戻り装置が一個で地震動抑制部材として働く、使用期間の長い耐久性が有り長い期間使用出来る、建築物、建設物に幅広く、応用出来る。      
【００１４】
地震動抑制部材として支柱の制震回動抑制装置５０取付部材とし木材、化学材、鋼材部材の組み合わせで免震回動抑制装置４３付け耐久性有る支柱製品が作れ再生使用出来る部材として使用、中心部ボルト部４、に回動センサー１１Aを装着し地震動の測定記録が出来る装置として建物の変化とコストの低減化が図れる。
【図面の簡単な説明】
【００１５】
【図１】制震回動抑制装置部材、側面断面図
【図２】制震装置支柱取付上部台部、上面断面図
【図３】制震装置下部繋ぎ台、下面断面図
【図４】柱取付台、つなぎ部材、断面側面図
【図５】振動抑制バネ装置取付部、側面断面図
【図６】免震回動抑制装置部材、作動前と作動中、側面断面図
【図７】免震回動抑制装置部材、上面断面図
【図８】角台制震装置装着取付台、側面図
【図９】丸形、制震装置支柱取付け式台、上面断面図
【図１０】角形、制震装置支柱取付け式台、上面断面図
【図１１】支柱先端上下固定カバー、側面図
【図１２】８角台形繋ぎＨ台、側面図
【図１３】８面I形、V形、L形つなき台形加工支柱繋ぎ部材、側面図
【図１４】台形内制震回動抑制装置部材支柱つなぎ部材、側面図
【図１５】加工材支柱先端合わせカバー上下、支柱固定カバー、側面図
【図１６】８角式台形内加工支柱取付施工部材、支柱受け台、側面図
【図１７】制震抑制装置付加工支柱先端つなぎ部材、側面図
【図１８】８角方向制震装置組付け八面支柱台部材、上面図
【図１９】斜倒角組立部材支柱台連結取付部材、側面図
【図２０】８角方向斜倒角組立材支柱取付台部材、側面図
【図２１】８角方向斜倒角角度調整台部材、上面断面図
【発明を実施するため形態】
【００１６】
以下に、本発明の実施形態を添付図面を参照して詳細に説明する。図１、ないし図５は本発明に係る、制震回動抑制装置５０として実施形態を示す概念図であり、円柱状で中が空洞である、外側ケース１７と、前記外側ケース１７と同心軸である円柱状の内側ケース７を設置し、外側ケース１７と内側ケース７の間一次回動抑制空間部１４に空間を有して設置し、一次回動抑制空間部バネ１３Ａを設置し、前記外側ケースと内側ケースの同心軸に二次回動抑制主軸コアー部マウント台2Ａを設け、前記二次回動抑制主軸コアー部マウント台２Ａと内側ケース7との間の空間に二次回動抑制バネ２を設置し、前記外側ケースと内側ケース及び回動抑制主軸コアー部マウント台２Ａはボルト部とし図５は、空間部に８．１４に振動回動抑制バネを用意した、空間部８、１４バネを左右対称にバネカップ１６が埋設、空間部の地震動抑制材として自由に回動抑制をする、バネカップ１６の内側に摺動するカップ１６Aが付く、埋設されていることを特徴する回動抑制材と、中心部を振動回動抑制する、二次回動抑制主軸コアー部マウント台２Ａがボルト４に付き、外側ケース17と内側ケース７の空間部にバネカップ１６で一次地震動抑制する、振動空間部上下に回動抑制材バネカップ１６を８角方向に複数本上下に取付る、回動振動を抑制する、二次地震動抑制する、二次回動抑制主軸コアー部マウント台２A、二次回動抑制バネ部２は、８角方向上下に複数本のバネ２設置し二次地震動抑制材とする、ボルト４上部に回動センサー11Aで地震動の測定をする、上下ゼンマイ式バネ９、１０が取り付け振動回動抑制する、上下回動振動抑制用と中心部位置に戻る部材として設置する事で、突き上げる三次回動振動を抑制として、連通回動振動跨嵌板６は下部にバネを複数本取付する、二次地震動を上下回動振動抑制と、外側ケース１７上部に太バネ複数本上部に付く、振動空間部を元の隙間に戻すバネとする、一次地震動抑制部として外側ケース１７に二カ所当たり止め式に１１、２４突起付いている、図２は、外側ケース１７上部のA-A’制震装置支柱周りにバネ式扇形１２が複数本取付する、ゴミ、水分入れない、減勢する、図４は、上部各柱取付部に支柱取替用台２３が設置する、上部に各交換加工支柱台２１が複数ボルトで取付出来る、図３は、外側ケース底３台部が有り底板３が合わせ外側ケース１７を固定する、制震回動抑制装置底板部材３を取替式支柱取付する事を備える。
【００１７】
請求項1および２記載の部材を使用した、 免震回動抑制装置の作動は地震動時の回動抑制する仕組みは自動で建物の土台を元の位置に戻す回動抑制装置として図６免震回動抑制装置と、図７の土台取付作動の仕組みは、十字式板バネ３５の先端部に上側四面スタビライザー３４先端部にボール・ジョイント４２に取付け、連結調整ロッド３６で繋ぐ式です、四個組付けのジョイントとして十字式板バネ３５の先端取付部と上側四面スタビライザー３４、先端と連結調整ロッド３６先端とバネ付ショクアプソーバー３７先端取付部がセットになっている、下側部には、バネ付ショクアプソーバー３７は免震回動抑制装置台４３の四隅に複数固定です、連結調整ロット３６は四隅に縦に付き、下側はボール・ジョイント４２がロアーアーム４８の先端に付くボール・ジョイント４２、下側四面スタビライザー３４Ａは取付部にヒネリ調整付と、四隅取付ロアーアーム４８の中間に左右対称にホールジョイント４２でスタビライザー３４Ａ先端が四隅のロアーアーム４８中間に付く下側スタビライザー３４Ａて押圧し、ゆっくり戻る作用をする。地振動回動を受ける上部と下部は十字式板バネ３５とバネ付ショクサブソーバー３７は戻り用として作動する、上部振動回動四面方向圧縮バネ４４は、振動回動四面方向にシリンダ式圧縮バネを装備４４を使用し作動の振動回動を抑え、動きを小さくし地振動回動抑制し戻り装置とする、免震回動抑制装置台４３材の、中心部に装着した、制震回動抑制装置５０の小刻み地震動を制御する、回りの動きを大きくする部材と中心部の小刻み地震動を抑えて、元の位置に戻り安くする組付けにした、建物の土台の下部に十字式板バネ３５と振動回動四面方向圧縮バネ４４と上下スタビライザー３４、３４Ａとバネ付ショクアプソーバー３７と制震回動抑制装置５０で回りの地震動回動抑制をした免震回動抑制装置と小型に構成した、免震作用を発揮させ、元の位置に戻る免震動回動抑制装置とする。          
【００１８】
請求項４地震動抑制とし制震回動抑制装置５０を支柱に使用出来、丸形、角形の取付施工出来る機能を有して支柱組み付ける部材として使用出来る、図８は、継ぎ手と仕口は支柱繋ぎ丸形図９として、図１０は角形の中に丸形を備える、にそれぞれ柱、梁支柱、束、桁、に取付建築物の振動回動を抑制し支柱の繋ぎにする、制震装置取付する取替式支柱取付台２１、図１５、と図１７の支柱繋ぎ支柱として付く、木材、化学材、鋼材として未来の建築物、建設物に使用出来る支柱の組み替え式部材とする材料として開発取付できる、組立部材とし図１４、図１６は、８角方向台形繋ぎ上下板材は図１２のH台を使用し支柱台部材を組付けする、梁用としての斜倒角台つなぎ調整８７部材は、１９図のように合体組付け方法か出来る、図１３は使用にI形、V形、T形、L形８角方向調整台形繋ぎ台を組み替えて支柱取付台周り施工が出来る、支柱台周り施工と、柱に制震回動抑制装置５０部材を使用し図１１は、先端つなぎ部材として上下カバーを咬止部材とし組付使用する事で強固にし、水や湿気を防ぐ、支柱繋ぎに使用することで、取替を用意にし破壊、倒壊を少なくし、解体工事を簡素化する特徴を部材としたものである。
【産業上の利用可能性】
【００１９】
図１おいて制震回動抑制装置５０を地震動抑制での使用で建築、建設技術を地震に対する変革する事を進める事ができる、建築、建設資材の制震装置の部材での使用で、災害を少なくする事の技術発明が急がれる、支柱、梁支柱、束、桁と先端支柱につなぎ部材として使用、建築物、建設物の橋柱土台部、振動抑制材、緩和支柱材、地震動抑制部材として使用する事が出来る、制震回動抑制装置部材使用することで破壊、倒壊防止をなくするための備えとした部材の開発が急がれる。
【符号の説明】
【００２０】
１    回動抑制主軸ボルト部
１A  制震装置加工材支柱組付け台
２    二次回動抑制バネ部
２A  二次回動抑制主軸コアー部マウント台
３       制震回動抑制装置底板 
４    ボルト調整ナット
５       支柱取付台ボルト、穴
６    連通回動抑制跨嵌板
７    内側ケース
８    二次回動抑制空間部
９    主軸上部ゼンマイ式バネ
１０   主軸下部ゼンマイ式バネ
１０A  センサースイッチ配線
１１  上下当たり止め空間バネ台
１１A  回動センサー
１２  回動抑制空間部扇形板
１３  回動抑制軸空間部扇バネ用
１３A  一次回動抑制空間部バネ 
１４  一次回動抑制空間部
１５  上部柱取付調整ロック、ナット
１６  バネカップ
１６A摺動内バネ
１７  合わせ外側ケース
１８  上部回動抑制太バネ
１９   角度台取付ボルト穴  
２０  支柱つなぎボルト部
２１  取替式支柱取付台
２２  キー締め付けボルト穴 
２３  支柱取付ボルト穴
２４  上下当たり受け止台
２５  支柱台咬止連結ボルト、キー溝
２６  外側合わせ締め付けボルト、穴
２７  二次回動抑制コアー連結部台
２８  下部回動抑制柱板下バネ
２９  角形制震装置調整ボルト穴
３０  太バネ下部摺動台    
３１  支柱台調整楕円ワッシャー
３２  丸形底台合わせ取付ボルト
３３  丸形、角形耐震箱取付ボルト、ダボ、キー
３３A  角形制震装置取付調整台
３４   上側四面スタビライザー
３４A下側四面スタビライザー
３５  十字式板バネ
３６  連結調整ロッド
３６A  丸形制震回動抑制装置下部取付ボルト
３７  バネ付ショクアプソーバー
３８  太バネ
３９  太バネ上部摺動台
４０  水平移動圧縮シリンダー台
４１  上下部ゼンマイ式バネ
４２  ボール・ジョイント
４３  免震回動抑制装置台
４４  振動回動四面方向圧縮バネ
４５  四面方向圧縮移動台
４６  レベル調整ボルト部材
４７  十字板押え板バネ台  
４８  ロアーアームA.B
４９  ロアーアーム台
５０  制震回動抑制装置
５１  支柱下部調整取付台ボルト穴
５２  繋ぎ止め保護台ピン、ボルト
５３  縦支柱丸形、角形制震装置取付台
５４  合わせ板制震装置調整キー溝、ボルト 
５６  梁用V形組立切り取り線
５７  梁用I形組立切り取り線
５８  ８角台形繋ぎ板支柱台
５９  斜倒角台繋ぎ上下板調整穴台
６０  つなぎ板調整台取付穴
６１  台形板繋ぎ上板下板Ｈ台
６２  斜塔角支柱外側調整台
６３  支柱繋ぎ合わせ上部材
６４  支柱繋ぎ部ボルト穴
６５  支柱合わせつなぎ部咬止上部下部材
６６  支柱繋ぎ合わせ下部材
６７  支柱つなぎ材取付ボルト、キー
６８  太ねじ取替支柱つなぎ台
６９  支柱取替式つなぎ簡単取付台
７０  支柱繋ぎ固定溝キー、杭、ダボ
７１  支柱つなぎ部組付けキー、ダボ、ボルト
７２  台形繋ぎ板支柱調整台  
７３  台形繋ぎ調整組付け板
７４  制震装置台保護材
７５  台形繋ぎ板調整台穴
７６  台形上下板咬止調整支柱台
７７  繋ぎ台取付ボルト
７８  支柱の内部セメント部
７９  支柱の内部、鋼材、鉄金
８０  支柱材組付け合わせ部   
８１  支柱先端当たり弾性体部
８２  斜倒角８角繋ぎ支柱調整台
８３  斜塔角８角支柱調整繋ぎ台
８４  鉄筋コンクリート抑え台
８５  ８角方向内側ケース支柱調整台
８６  ８角方向外側繋ぎ調整台
８７  斜塔角組付繋ぎ止め調整台
８８  斜倒角台繋ぎ部咬止台
【要約】
【課題】地震災害時による地震動抑制に対して有効で有りながら構造が簡単で
支柱施工部材をジョイント式にし多様化出来る要に部材を地震動回動抑制使用する制震、免震回動抑制装置部材を提供する。                              
【解決手段】部材で円柱状中が空道である外側ケース１７と内側ケース７の空道１４が有り中に複数本バネ１３A配置し戻り用とし大きいバネ１８付一次地震動回動抑制部有り、内側ケース７と回動抑制主軸コア部２A台に空道８の中と上下に複数本バネ１１配置し二次地震動回動抑制部と、中心シャフト部ゼンマイ９-１０上下有り、中間にセンサー１１Aが有り、内側ケー          ス７上部に 支柱取替施工１Aが出来る、制震、免震回動抑制装置部材と組み込まれる。
【選択図】図１【図１】
0006476379.tif 000002
【図２】
0006476379.tif 000003
【図３】
0006476379.tif 000004
【図４】
0006476379.tif 000005
【図５】
0006476379.tif 000006
【図６】
0006476379.tif 000007
【図７】
0006476379.tif 000008
【図８】
0006476379.tif 000009
【図９】
0006476379.tif 000010
【図１０】
0006476379.tif 000011
【図１１】
0006476379.tif 000012
【図１２】
0006476379.tif 000013
【図１３】
0006476379.tif 000014
【図１４】
0006476379.tif 000015
【図１５】
0006476379.tif 000016
【図１６】
0006476379.tif 000017
【図１７】
0006476379.tif 000018
【図１８】
0006476379.tif 000019
【図１９】
0006476379.tif 000020
【図２０】
0006476379.tif 000021
【図２１】
0006476379.tif 000022